(57)【要約】【課  題】買物に行くと、ゴミに成る物を多く持ち帰る事が有り、少しでもゴミに成る様な物を持ち帰る事を減らす様に、食料品包装用の紙、プラ容器、袋など（容易にゴミに成っている物）を使わずに、食料品その物だけを受け取り、色々有る食料品をどうして持ち帰って良いのか【解決手段】買入れする食料品の包装をしなく、食料品その物だけを入れる事を前提にした、食品用入れ物（ケース容器）を各種食料品用の入れ物（その入れる食料品の特長に合った機能の入れ物）食品種別（鮮魚、精肉、野菜、惣菜、汁物、天ぷら、揚物、生玉子、食パン、熱い物、その他食品）用を用意し、一つにまとめ、一つのキャリーに搭載し、持ち運びやすくする。又は、各種食料品用ケース（食料品の包装を無くし、食料品その物だけを持ち帰れる様に用意したケース、容器）を手提げカゴにセットし、保存用食品など（包装を無くせない食料品）をも、持ち帰れる様にした、買物用のシステムバスケットを設け、それらを使用する。【選択図】  図１
2004160121.tif 000002
【特許請求の範囲】
【請求項１】
買物の際に購入した食料品や品物を積むキャリーで、購入した食料品を包装なしで食料品その物だけを入れれる事を前提とした入れ物（ケース、容器）を各種食料品用を用意し。食料品種  例（野菜、鮮魚、精肉、生玉子、食パン、天ぷら、揚物、熱い食品、汁物、その他の食品）それらを一つにまとめ、キャリーに搭載した事を特徴とする買い物用キャリー。
【請求項２】
本考案内容の図面の簡単な説明図１タイプへ組込む買物用キャリー専用の符号１９、出し入れ補助取手付食料品ケース出し入れ補助取手付食料品ケースのケース例。図３、図４、図５、図６、図７、図８。
【発明の詳細な説明】
【０００１】
【発明の属する技術分野】
買物の際に購入した食料品や品物を積むキャリー。
で購入した食料品を包装なしで食料品その物だけを入れれる事を前提とした入れ物（ケース容器）をその入れる食品の特長に合った機能の入れ物、（ケース容器）を各種食料品。  例（野菜、鮮魚、精肉、生玉子、食パン、天ぷら、揚物、熱い食品、汁物、その他食品）用を用意し一つにまとめ一つのキャリーに搭載した物。
【０００２】
【従来の技術】
荷物を運ぶキャリーやスーパーなどで、購入品を運ぶワゴンは有ります。
【０００３】
【発明が解決しようとする課題】
買物の際に食料品包装用の紙プラ容器、袋など（安易のゴミに成っている物）を使わずに、食料品その物だけを受け取り、色々有る食料品をどうして持ち帰ったら良いのか。
【０００４】
保温力の有る容器にしても良く、図１への出し入れしやすい様に２５に１９を付ける。
図７の２７は２０、２２、２５のケースより、大きくなっており図１への出し入れがしやすい様に２７へ１９を付ける。
図８は、食パン底が温気をおびない様に２８の中に２９を敷き本図の大きさは、食パン１本分用だが２斤用、１斤用と選び作り、図１への出し入れがしやすい様に２８へ１９を付ける。
図９の３０は大きな野菜、例（白菜、キャベツ、大根など）が入る大きさにしい３１、図１入れ込み時１は低くし野菜の出し入れをしやすくする。
【図面の簡単な説明】
【図１】本考案の実施形態を買物用キャリー本体例としてカゴ棚タイプで製作した場合の斜視図で各種食料品用の入れ物（ケース、容器）が組み込まれていない図です。
「図２」「図３」「図４」「図５」「図６」「図７」「図８」「図９」は本考案の内容で用意したい各種食料品用の入れ物（ケース、容器）例です。
【図２】鮮魚、精肉を入れる入れ物例断面図
【図３】生玉子用受皿タイプ例上面図
【図４】熱い食品用ケース例立体断面図
【図５】天ぷら、揚物用ケース例立体断面図
【図６】汁物対応用ケース例立体図
【図７】その他の食品用ケース例立体図
【図８】食パン用ケース例（１本分用）立体図
【図９】野菜用ケース例立体図
【符号の説明】
１    キャリー正面側
２    カゴ棚
３    正面部、ケーススベリ落防止受
４    側面部、ケーススベリ落防止受
５    図２を組込む棚
６    ７  ８  ９は図３、図４、図５、図６、いずれかを入れ込む棚
１０  図７を組込む棚
１１  図８を組込む棚
１２  図９を組込む棚
１３  クーラーボックスタイプ本体
１４  １５、鮮魚か精肉入れ用ケース例
１６  ケースと氷を離す仕切り例
１７  保冷用氷例
１８  生玉子受皿例（２０個用）本体
１９  図１へ組込ケース用出し入れ用補助取手
２０  熱い食品用ケース例本体
２１  図４ケース用汁漏れのしないジョイントパッキン
２２  天ぷら、揚物用ケース例本体
２３  図５ケース用汁漏れのしないジョイントパッキン
２４  油切用中敷例
２５  汁物対応用ケース例立体
２６  図６ケース用汁漏れのしないジョイントパッキン
２７  その他の食品用ケース例本体
２８  食パン用ケース例（１本分用）本体
２９  食パン底湿気防止用中敷例
３０  野菜用ケース例・本体
３１  野菜出し入れ開口部
【図１】
2004160121.tif 000003
【図２】
2004160121.tif 000004
【図３】
2004160121.tif 000005
【図４】
2004160121.tif 000006
【図５】
2004160121.tif 000007
【図６】
2004160121.tif 000008
【図７】
2004160121.tif 000009
【図８】
2004160121.tif 000010
【図９】
2004160121.tif 000011
【手続補正書】
【提出日】平成15年1月20日(2003.1.20)
【手続補正１】
【補正対象書類名】図面
【補正対象項目名】図１０
【補正方法】追加
【補正の内容】
【図１０】
2004160121.tif 000012
【手続補正２】
【補正対象書類名】図面
【補正対象項目名】図１１
【補正方法】追加
【補正の内容】
【図１１】
2004160121.tif 000013
【手続補正書】
【提出日】平成15年1月20日(2003.1.20)
【手続補正１】
【補正対象書類名】明細書
【補正対象項目名】全文
【補正方法】変更
【補正の内容】
【特許請求の範囲】
【請求項１】買物の際に購入した食料品や品物を積むキャリーで、購入した食料品を包装なしで食料品その物だけを入れれる事を前提とした入れ物（ケース、容器）を各種食料品用を用意し。食料品種  例（野菜、鮮魚、精肉、生玉子、食パン、天ぷら、揚物、熱い食品、汁物、その他の食品）それらを一つにまとめ、キャリーに搭載した事を特徴とする買い物用キャリー。
【請求項２】本考案内容の図面の簡単な説明図１タイプへ組込む買物用キャリー専用の符号１９、出し入れ補助取手付食料品ケース出し入れ補助取手付食料品ケースのケース例。図３、図４、図５、図６、図７、図８。
【請求項３】買物の際に購入した食料品や、品物を入れ持ち帰る手提げカゴで手提げカゴに保存用食品用区分（菓子、カンズメ、雑貨食品など当初から保存を目的に生産され完全に包装された食料品で包装を省く事が出来ない食料品区分）と、各種食料品用入れ物（ケース、容器）用区分〔例、各種食料品、鮮魚、精肉、惣菜、汁物、食パンなどの包装を省く事が出来る食料品を包装なしで食料品その物だけを入れる事を前提とした入れ物（ケース容器）を用意し、それら各種食料品用、入れ物（ケース容器）を一つにまとめ、セットする区分〕を設け、保存用食品（包装を省けない食料品）と包装を省ける食料品（包装を無くし食料品その物だけを、受け取れる食料品）を持ち帰るのに対応に出来る事を特徴とした買物用システムバスケット。
【発明の詳細な説明】
【０００１】
【発明の属する技術分野】
買物の際に購入した食料品や品物を積むキャリー。
で購入した食料品を包装なしで食料品その物だけを入れれる事を前提とした入れ物（ケース容器）をその入れる食品の特長に合った機能の入れ物、（ケース容器）を各種食料品。  例（野菜、鮮魚、精肉、生玉子、食パン、天ぷら、揚物、熱い食品、汁物、その他食品）用を用意し一つにまとめ一つのキャリーに搭載した物。
又は各種食料品用入れ物〔例、各種食料品、鮮魚、精肉、惣菜、汁物、食パンなどの包装を省く事が出来る食料品で、その食料品の包装を無しで食料品その物だけを入れる事を前提とした入れ物（ケース、容器）をその各種食料品用に取り揃えた物〕を手提げカゴにセットし、また保存用食品（菓子、カンズメ、雑貨食品などの当初から保存を目的に生産され完全に包装された食料品で包装を省く事が出来ない食料品）も、持ち帰れる様にした買物用のシステムバスケット。
【０００２】
【従来の技術】
荷物を運ぶキャリーやスーパーなどで、購入品を運ぶワゴンと普通の、手提げカゴ、バスケットは有ります。
【０００３】
【発明が解決しようとする課題】
買物の際に食料品包装用の紙プラ容器、袋など（安易にゴミに成っている物）を使わずに、食料品その物だけを受け取り、色々有る食料品をどうして持ち帰ったら良いのか。
【０００４】
【課題を解決するための手段】
買入れる食料品の包装をしなく、食料品その物だけを入れれる事を前提にした食料品入れ物（ケース、容器）を各種食料品の入れ物（その入れる食料品の特長に合った機能の）食品種例（鮮魚、精肉、惣菜、汁物、天ぷら、揚物、生玉子、食パン、熱い物、その他の食品）用を用意し、一つにまとめ一つのキャリーに搭載する。
又は、各種食料品用入れ物〔例、各種食料品、鮮魚、精肉、惣菜、汁物、食パンなどの包装を省く事が出来る食料品をその食料品の包装を無しで、食料品その物だけを入れる事を前提とした入れ物（ケース、容器）をその各種食料品用に取り揃えた物〕を手提げカゴにセットし、また保存用食品（菓子、カンズメ、雑貨食品などの当初から保存を目的に生産され完全に包装された食料品で包装を省く事が出来ない食料品）も持ち帰れる様にした買物用のシステムバスケットを設け使用する。
【０００５】
【発明の実施の形態】
本考案の実施形能は図面に基づき説明する。
図１は本考案の実施形能を買物用キャリー本体例として本体をカゴ棚タイプで製作した場合の買物用キャリー本体の斜視図で各種食料品用の（その入れる食料品の特長に合った機能の）入れ物（ケース、容器）が組み込まれていない図です。図２、図３、図４、図５、図６、図７、図８、図９は本考案の内容で用意したい各種食料品用の（その入れる食料品の特長に合った機能の）入れ物（ケース、容器）例の図です。入れ物（ケース、容器）例の図１への組み込み手段は図２は５へ入れ込み、図３、図４、図５、図６、は６、７、８、９へ１から入れ込み図８は１１へ１から入れ込み、図９も１２へ１から入れ込む。
図１０は、買物用システムバスケットのカゴ本体例図で、図１１は買物用システムバスケットに各種食料品用ケース（食料品の包装を無くし、食料品その物だけを持ち帰れる様に用意したケース、容器）例、容器、３６、３７、３８、３９、４０をセットしたシステムバスケット全体例図です。
【０００６】
各種食品用ケース例の説明。
図２は生物用なので保冷の利く、１３にし中に１４、１５（鮮魚と精肉入れ用ケース）を入れ１５と保冷用氷が触れない様に１６を入れる。
図３は図１への出し入れがしやすい様に１８、１９を付ける
図４は熱い物用なので、耐熱性の容器で汁物対応で２１汁漏れしないジョイントパッキンにし、冷めない様に保温力の有る容器にしても良く図１への出し入れがしやすい様に２０に１９を付ける。
図５は天ぷら、揚物が、べとべとしない様に２４を２８中の底（ケース底）に敷き２２を保温力の有る容器にしても良く図１への出し入れがしやすい様に２２に１９を付ける。
図６は汁漏れがしない様に２６汁漏れのしないジョイントパッキンにし２５を保温力の有る容器にしても良く、図１への出し入れしやすい様に２５に１９を付ける。
図７の２７は２０、２２、２５のケースより、大きくなっており図１への出し入れがしやすい様に２７へ１９を付ける。
図８は、食パン底が温気をおびない様に２８の中に２９を敷き本図の大きさは、食パン１本分用だが２斤用、１斤用と選び作り、図１への出し入れがしやすい様に２８へ１９を付ける。
図９の３０は大きな野菜、例（白菜、キャベツ、大根など）が入る大きさにし、
３１は、図１入れ込み時１は低くし野菜の出し入れをしやすくする。
３２は、概存のプラスチック製カゴタイプで良く、後々リサイクル処理出来る素材が良とする。
３３は、各種食料品用の入れ物（食料品の包装を無くし食料品その物だけを持ち帰れる様に用意したケース、容器）用区分と、保存用食品（当初から保存を目的に完全に包装された包装を省けない食品、菓子、カンズメ、雑貨食料品など）用区分に区分けする仕切りで、
３４は、各種食料品用の入れ物（ケース容器）用区分として、
３５は、３４を取った残りのスペースで、３４より大きめに取っても良く、保存用食品（包装を省く事が出来ない食品）用区分です。
３６は、各種食料品用の入れ物（ケース、容器）のケース例、熱い食品用としてケース内容例図は図４とし（バスケットタイプ対応なので）１９を取り付けないタイプのケースです。
３７はケース例、天ぷら、揚物、対応用ケースとして、ケース内容例図は図５とし（バスケットタイプ対応なので）１９を取り付けないタイプのケースです。
３８は、ケース例、汁物対応用ケースとしてケース内容例図は図６とし、（バスケットタイプ対応なので）１９を取り付けないタイプのケースです。
３９はケース例、その他の食品用ケースとして、３８を転用し使用する形です。
４０はケース例、食パン用ケースとして、ケース内容例図は図８とし、（バスケットタイプ対応なので）１９を取り付けないタイプのケースにし大きさは、２斤用、１斤用作れます。しかし、その他の食品にも対応出来る様に２斤用が良いかもしれません。
【図面の簡単な説明】
【図１】本考案の実施形態を買物用キャリー本体例としてカゴ棚タイプで製作した場合の斜視図で各種食料品用の入れ物（ケース、容器）が組み込まれていない図です。
（図２）（図３）（図４）（図５）（図６）（図７）（図８）（図９）は本考案の内容で用意したい各種食料品用の入れ物（ケース、容器）例です。
【図２】鮮魚、精肉を入れる入れ物例断面図
【図３】生玉子用受皿タイプ例上面図
【図４】熱い食品用ケース例立体断面図
【図５】天ぷら、揚物用ケース例立体断面図
【図６】汁物対応用ケース例立体図
【図７】その他の食品用ケース例立体図
【図８】食パン用ケース例（１本分用）立体図
【図９】野菜用ケース例立体図
【図１０】本考案の実施形態を買物用システムバスケットとして各種食料品の入れ物（ケース、容器）をセットしていないカゴ本体例図です。
【図１１】買物用システムバスケットに各種食料品用の入れ物（ケース、容器）をセットした、バスケット本体例図です。
【符号の説明】
１    キャリー正面側
２    カゴ棚
３    正面部、ケーススベリ落防止受
４    側面部、ケーススベリ落防止受
５    図２を組込む棚
６    ７  ８  ９は図３、図４、図５、図６、いずれかを入れ込む棚
１０  図７を組込む棚
１１  図８を組込む棚
１２  図９を組込む棚
１３  クーラーボックスタイプ本体
１４  １５、鮮魚か精肉入れ用ケース例
１６  ケースと氷を離す仕切り例
１７  保冷用氷例
１８  生玉子受皿例（２０個用）本体
１９  図１へ組込ケース用出し入れ用補助取手
２０  熱い食品用ケース例本体
２１  図４ケース用汁漏れのしないジョイントパッキン
２２  天ぷら、揚物用ケース例本体
２３  図５ケース用汁漏れのしないジョイントパッキン
２４  油切用中敷例
２５  汁物対応用ケース例立体
２６  図６ケース用汁漏れのしないジョイントパッキン
２７  その他の食品用ケース例本体
２８  食パン用ケース例（１本分用）本体
２９  食パン底湿気防止用中敷例
３０  野菜用ケース例・本体
３１  野菜出し入れ開口部
３２  手提げカゴ本体
３３  食品区分け用仕切り
３４  各種食料品用ケース区分
３５  保存用食品（包装を省けない食品）用区分
３６  ケース例  熱い食品用入れ物（ケース、容器）
３７  ケース例  天ぷら揚物対応用入れ物（ケース、容器）
３８  ケース例  汁物対応用入れ物（ケース、容器）
３９  ケース例  その他の食品用入れ物（ケース、容器）
４０  ケース例  食パン用入れ物（ケース、容器）